【手続補正書】
【提出日】平成28年11月24日(2016.11.24)
【手続補正１】
【補正対象書類名】明細書
【補正対象項目名】００５０
【補正方法】変更
【補正の内容】
【００５０】
上記に基づき、既存の管継手への望ましくないモーメントを排除する形で流体導管を構造体に固定する技術が、少なくとも部分的には加圧された流体が輸送手段を通して様々な導管形状を通って移動することの結果として生み出されたことを理解すべきである。上述の主題は、例示のみを目的として挙げられたものであり、限定するものとして解釈されるべきではない。図示されかつ説明された例示的な実施形態および応用に従うことなく、また、以下の特許請求の範囲において説明される本開示の真の精神および範囲から逸脱することなく、本明細書において説明された主題に対して様々な修正および変更を行うことができる。
また、本発明は以下に記載する態様を含む。
（態様１）
導管用開口（１１２）を含む球面軸受（１１０）であって、前記球面軸受（１１０）を横断する流体導管（１０２）を受け入れるように構成された、球面軸受（１１０）と、
内部に前記球面軸受（１１０）を保持し、内部での前記球面軸受（１１０）の回転を可能とし、構造体（１４０）にしっかりと結合されるように構成された、軸受ハウジング（１２０）と
を備える、構造管継手（１００）。
（態様２）
前記球面軸受（１１０）が、前軸受（１１０Ａ）および後軸受（１１０Ｂ）をさらに含み、前記前軸受（１１０Ａ）および前記後軸受（１１０Ｂ）が、互いに接して前記導管用開口（１１２）を有する組立軸受構成を作り出すように構成されている、態様１に記載の構造管継手（１００）。
（態様３）
前記軸受ハウジング（１２０）が、互いに接して組立ハウジング構成を作り出すように構成された前ハウジング（１２０Ａ）および後ハウジング（１２０Ｂ）を含み、前記組立ハウジング構成が、前記球面軸受（１１０）の前記組立軸受構成を維持すると同時に前記軸受ハウジング（１２０）内での前記球面軸受（１１０）の回転を可能とするように成形された内側面（１２２）を含む、態様１または２に記載の構造管継手（１００）。
（態様４）
前記前ハウジング（１２０Ａ）および前記後ハウジング（１２０Ｂ）のそれぞれが、
対応する前ハウジング（１２０Ａ）または後ハウジング（１２０Ｂ）の内側面（１２２）と結び合うように構成され、環状内側軸受エッジ（１３０）を含む、内側面（１２２）と、
前記組立ハウジング構成において、前記内側面（１２２）に対向しかつ前記軸受ハウジング（１２０）の外側になり、前記環状内側軸受エッジ（１３０）の直径よりも小さい直径を有する環状外側軸受エッジ（１３２）を含む、外側面（１２８）と、
前記環状内側軸受エッジ（１３０）と前記環状外側軸受エッジ（１３２）との間に画定された軸受保持表面（１３４）と
を含む、態様３に記載の構造管継手（１００）。
（態様５）
前記軸受保持表面（１３４）が、前記環状内側軸受エッジ（１３０）と前記環状外側軸受エッジ（１３２）との間に、前記球面軸受（１１０）の外部形状に実質的に対応する弓形形状を含む、態様４に記載の構造管継手（１００）。
（態様６）
前記前軸受（１１０Ａ）および前記後軸受（１１０Ｂ）のうちの少なくとも一方が、前記導管用開口（１１２）内で前記流体導管（１０２）の前部分（１０２Ａ）と後部分（１０２Ｂ）とを結合する組立結合フランジに係合するように構成され、その結果、前記組立軸受構成が前記流体導管（１０２）を前記球面軸受（１１０）内に固定する、態様２ないし５のいずれか一つに記載の構造管継手（１００）。
（態様７）
前記前軸受（１１０Ａ）および前記後軸受（１１０Ｂ）が、複数の締結具用空所（１１６）を備え、前記締結具用空所（１１６）のそれぞれが、前記流体導管（１０２）の前記前部分（１０２Ａ）と前記後部分（１０２Ｂ）とを結合する前記組立結合フランジからの締結具の一部分を受け入れるように構成されている、態様２ないし６のいずれか一つに記載の構造管継手（１００）。
（態様８）
前記軸受ハウジング（１２０）が、取付けフランジ（１２４）を備え、前記取付けフランジ（１２４）が、前記軸受ハウジング（１２０）を前記構造体（１４０）に結合するための締結具（３０２）を受け入れるように構成された締結具用開口（１２６）を備える、態様１ないし７のいずれか一つに記載の構造管継手（１００）。
（態様９）
前記流体導管（１０２）が流体経路を含み、また、前記構造体（１４０）が輸送手段の隔壁を含む、態様１ないし８のいずれか一つに記載の構造管継手（１００）。
（態様１０）
流体導管（１０２）を構造体（１４０）に固定するための方法であって、
前記流体導管（１０２）を球面軸受（１１０）で包み込むことと、
前記球面軸受（１１０）を軸受ハウジング（１２０）内に保持すると同時に前記軸受ハウジング（１２０）内での前記球面軸受（１１０）の回転を可能とするように、前記球面軸受（１１０）を前記軸受ハウジング（１２０）内に固定することと、
前記軸受ハウジング（１２０）を前記構造体（１４０）に固定することと
を含む、方法。
（態様１１）
第１の部分（１０２Ａ）の第１の結合フランジ（１０４）、第２の部分（１０２Ｂ）の第２の結合フランジ（１０４）、および複数の締結具を介して、前記流体導管（１０２）の前記第１の部分（１０２Ａ）を前記流体導管（１０２）の前記第２の部分（１０２Ｂ）に結合して、前記流体導管（１０２）の組立結合フランジを作り出すことをさらに含み、前記流体導管（１０２）を前記球面軸受（１１０）で包み込むことが、前記組立結合フランジを前記球面軸受（１１０）の対応するフランジ用および締結具用の空所（１１６）内に位置決めすることを含む、態様１０に記載の方法。
（態様１２）
前記軸受ハウジング（１２０）が、前ハウジング（１２０Ａ）および後ハウジング（１２０Ｂ）を含み、前記球面軸受（１１０）を前記軸受ハウジング（１２０）内に保持すると同時に前記軸受ハウジング（１２０）内での前記球面軸受（１１０）の回転を可能とするように、前記球面軸受（１１０）を前記軸受ハウジング（１２０）内に固定することが、
前記球面軸受（１１０）を前記前ハウジング（１２０Ａ）内に位置決めすることと、
前記前ハウジング（１２０Ａ）の内側面（１２２）が前記後ハウジング（１２０Ｂ）の内側面（１２２）に接するように、前記球面軸受（１１０）を前記後ハウジング（１２０Ｂ）内に位置決めして、前記前ハウジング（１２０Ａ）および前記後ハウジング（１２０Ｂ）によって画定され、軸受保持表面（１３４）に対する前記球面軸受（１１０）の回転運動を可能とするように構成された軸受保持表面（１３４）に、前記球面軸受（１１０）の外側軸受表面（１１８）が接するように、前記球面軸受（１１０）を包み込むことと
を含む、態様１０または１１に記載の方法。
（態様１３）
前記前ハウジング（１２０Ａ）を前記後ハウジング（１２０Ｂ）に固定することをさらに含む、態様１０ないし１２のいずれか一つに記載の方法。
（態様１４）
前記前ハウジング（１２０Ａ）を前記後ハウジング（１２０Ｂ）に固定すること、および前記軸受ハウジング（１２０）を前記構造体（１４０）に固定することが、各締結具用開口（１２６）および対応する締結具が、前記前ハウジング（１２０Ａ）、前記後ハウジング（１２０Ｂ）、および前記構造体（１４０）を横断するように、複数の締結具用開口（１２６）を通して複数の締結具（３０２）を設置することを含む、態様１０ないし１３のいずれか一つに記載の方法。
（態様１５）
前記流体導管（１０２）が、
複数の第１の締結具用開口（１０６）を有する第１の結合フランジ（１０４）を具備する、前記流体導管（１０２）の第１の部分（１０２Ａ）と、
複数の第２の締結具用開口（１０６）を有する第２の結合フランジ（１０４）を具備する、前記流体導管（１０２）の第２の部分（１０２Ｂ）であって、前記複数の第１の締結具用開口（１０６）が前記複数の第２の締結具用開口（１０６）と整列するように、前記第２の結合フランジ（１０４）が前記第１の結合フランジ（１０４）に接するように構成されている、前記流体導管（１０２）の第２の部分（１０２Ｂ）と、
前軸受（１１０Ａ）および後軸受（１１０Ｂ）を含む球面軸受（１１０）であって、
前記前軸受（１１０Ａ）が、前記流体導管（１０２）の前記第１の部分（１０２Ａ）を包み込んで、前記複数の第１の締結具用開口（１０６）を通って突出する複数の締結具を固定するように構成されており、
前記後軸受（１１０Ｂ）が、前記流体導管（１０２）の前記第２の部分（１０２Ｂ）を包み込んで、前記複数の第２の締結具用開口（１０６）を通って突出する前記複数の締結具を固定し、そして前記前軸受（１１０Ａ）に接して、前記球面軸受（１１０）を横断する前記流体導管（１０２）を有する組立軸受構成を作り出すように構成されている、
球面軸受（１１０）と、
互いに接して組立ハウジング構成を作り出すように構成された前ハウジング（１２０Ａ）および後ハウジング（１２０Ｂ）を含み、内部に前記球面軸受（１１０）を保持し、内部での前記球面軸受（１１０）の回転を可能とし、前記構造体（１４０）にしっかりと結合されるように構成された、軸受ハウジング（１２０）と、
前記第１の結合フランジ（１０４）および前記第２の結合フランジ（１０４）に応じた寸法となされ、かつ、組み立てられたときに前記第１の結合フランジ（１０４）と前記第２の結合フランジ（１０４）との間に位置決めされて前記流体導管（１０２）から流体が漏れ出すのを防ぐように構成された、結合ガスケット（１０８）と
を含む、態様１ないし９のいずれか一つに記載の構造管継手（１００）。
【手続補正２】
【補正対象書類名】特許請求の範囲
【補正対象項目名】全文
【補正方法】変更
【補正の内容】
【特許請求の範囲】
【請求項１】
前軸受（１１０Ａ）および後軸受（１１０Ｂ）を含む球面軸受（１１０）であって、
前記前軸受（１１０Ａ）および前記後軸受（１１０Ｂ）は、外側軸受表面（１１８）によって取り囲まれ、前記前軸受（１１０Ａ）の軸受内側面が前記後軸受（１１０Ｂ）の軸受内側面に対して接することにより、前記球面軸受（１１０）を横断する流体導管（１０２）を受け入れるように構成された導管用開口（１１２）を有する組立軸受構成を作り出すように、軸受内側面を通り抜けて前記外側軸受表面（１１８）から横断する前記導管用開口（１１２）をそれぞれ有している、球面軸受（１１０）と、
内部に前記球面軸受（１１０）を保持し、内部での前記球面軸受（１１０）の回転を可能とし、構造体（１４０）にしっかりと結合されるように構成された、軸受ハウジング（１２０）と
を備える、構造管継手（１００）。
【請求項２】
前記軸受ハウジング（１２０）が、互いに接して組立ハウジング構成を作り出すように構成された前ハウジング（１２０Ａ）および後ハウジング（１２０Ｂ）を含み、前記組立ハウジング構成が、前記球面軸受（１１０）の前記組立軸受構成を維持すると同時に前記軸受ハウジング（１２０）内での前記球面軸受（１１０）の回転を可能とするように成形された内側面（１２２）を含む、請求項１に記載の構造管継手（１００）。
【請求項３】
前記前ハウジング（１２０Ａ）および前記後ハウジング（１２０Ｂ）のそれぞれが、
対応する前ハウジング（１２０Ａ）または後ハウジング（１２０Ｂ）の内側面（１２２）と結び合うように構成され、環状内側軸受エッジ（１３０）を含む、内側面（１２２）と、
前記組立ハウジング構成において、前記内側面（１２２）に対向しかつ前記軸受ハウジング（１２０）の外側になり、前記環状内側軸受エッジ（１３０）の直径よりも小さい直径を有する環状外側軸受エッジ（１３２）を含む、外側面（１２８）と、
前記環状内側軸受エッジ（１３０）と前記環状外側軸受エッジ（１３２）との間に画定された軸受保持表面（１３４）と
を含む、請求項２に記載の構造管継手（１００）。
【請求項４】
前記軸受保持表面（１３４）が、前記環状内側軸受エッジ（１３０）と前記環状外側軸受エッジ（１３２）との間に、前記球面軸受（１１０）の外部形状に実質的に対応する弓形形状を含む、請求項３に記載の構造管継手（１００）。
【請求項５】
前記前軸受（１１０Ａ）および前記後軸受（１１０Ｂ）のうちの少なくとも一方が、前記導管用開口（１１２）内で前記流体導管（１０２）の前部分（１０２Ａ）と後部分（１０２Ｂ）とを結合する組立結合フランジに係合するように構成され、その結果、前記組立軸受構成が前記流体導管（１０２）を前記球面軸受（１１０）内に固定する、請求項１から４のいずれか一項に記載の構造管継手（１００）。
【請求項６】
前記前軸受（１１０Ａ）および前記後軸受（１１０Ｂ）が、複数の締結具用空所（１１６）を備え、前記締結具用空所（１１６）のそれぞれが、前記流体導管（１０２）の前記前部分（１０２Ａ）と前記後部分（１０２Ｂ）とを結合する前記組立結合フランジからの締結具の一部分を受け入れるように構成されている、請求項１から５のいずれか一項に記載の構造管継手（１００）。
【請求項７】
前記軸受ハウジング（１２０）が、取付けフランジ（１２４）を備え、前記取付けフランジ（１２４）が、前記軸受ハウジング（１２０）を前記構造体（１４０）に結合するための締結具（３０２）を受け入れるように構成された締結具用開口（１２６）を備える、請求項１から６のいずれか一項に記載の構造管継手（１００）。
【請求項８】
前記流体導管（１０２）が流体経路を含み、また、前記構造体（１４０）が輸送手段の隔壁を含む、請求項１から７のいずれか一項に記載の構造管継手（１００）。
【請求項９】
前記流体導管（１０２）が、
複数の第１の締結具用開口（１０６）を有する第１の結合フランジ（１０４）を具備する、前記流体導管（１０２）の第１の部分（１０２Ａ）と、
複数の第２の締結具用開口（１０６）を有する第２の結合フランジ（１０４）を具備する、前記流体導管（１０２）の第２の部分（１０２Ｂ）であって、前記複数の第１の締結具用開口（１０６）が前記複数の第２の締結具用開口（１０６）と整列するように、前記第２の結合フランジ（１０４）が前記第１の結合フランジ（１０４）に接するように構成されている、前記流体導管（１０２）の第２の部分（１０２Ｂ）と、
前軸受（１１０Ａ）および後軸受（１１０Ｂ）を含む球面軸受（１１０）であって、
前記前軸受（１１０Ａ）が、前記流体導管（１０２）の前記第１の部分（１０２Ａ）を包み込んで、前記複数の第１の締結具用開口（１０６）を通って突出する複数の締結具を固定するように構成されており、
前記後軸受（１１０Ｂ）が、前記流体導管（１０２）の前記第２の部分（１０２Ｂ）を包み込んで、前記複数の第２の締結具用開口（１０６）を通って突出する前記複数の締結具を固定し、そして前記前軸受（１１０Ａ）に接して、前記球面軸受（１１０）を横断する前記流体導管（１０２）を有する組立軸受構成を作り出すように構成されている、
球面軸受（１１０）と、
互いに接して組立ハウジング構成を作り出すように構成された前ハウジング（１２０Ａ）および後ハウジング（１２０Ｂ）を含み、内部に前記球面軸受（１１０）を保持し、内部での前記球面軸受（１１０）の回転を可能とし、前記構造体（１４０）にしっかりと結合されるように構成された、軸受ハウジング（１２０）と、
前記第１の結合フランジ（１０４）および前記第２の結合フランジ（１０４）に応じた寸法となされ、かつ、組み立てられたときに前記第１の結合フランジ（１０４）と前記第２の結合フランジ（１０４）との間に位置決めされて前記流体導管（１０２）から流体が漏れ出すのを防ぐように構成された、結合ガスケット（１０８）と
を含む、請求項１から８のいずれか一項に記載の構造管継手（１００）。